(57)【要約】【課題】  改版時に生じる転写ミス等の誤りの排除、引用した規格の把握容易化、変更箇所の把握容易化、変更内容の周知容易化、規格の利用頻度の把握容易化、規格の利用頻度に応じた課金、規格参照者の種類に応じたアクセス制限を実現する。【解決手段】  規格管理システム７は、第１の端末１から新規に作成された規格または規格の改版情報を受信する。規格管理システム７は、受信した規格や改版情報を記憶する。また、改版情報によって作成される改版後の規格も記憶する。また、規格管理システム７は、第３の端末３ないし第５の端末５からの要求に応じて、規格や改版情報を送信する。ただし、規格管理システム７は、アクセスを受け付ける際に認証を行う。また、端末の使用者の種別によって提供する情報を制限する。また、規格管理システム７は、ログを作成し、ログに基づいて各端末の使用者に対する課金情報を作成する。【選択図】  図１
2005228024.tif 000002
【特許請求の範囲】
【請求項１】
規格を記憶する規格記憶手段と、
端末からの要求に応じて、規格記憶手段が記憶する規格を前記端末に送信する規格送信手段と、
前記規格に対する改版情報を前記端末から受信する改版情報受信手段と、
前記改版情報に基づいて作成される改版後の規格と前記改版情報とを規格記憶手段に記憶させる改版情報登録手段と、
規格利用者の端末からの要求に応じて、少なくとも改版された最新の規格と、前記最新の規格の改版情報とを前記規格利用者の端末に送信する規格等提供手段とを
備えたことを特徴とする規格管理システム。
【請求項２】
規格等提供手段と規格利用者の端末との間の情報送受信記録であるログを作成するログ作成手段と、
ログ作成手段が作成したログを記憶するログ記憶手段とを備えた
請求項１に記載の規格管理システム。
【請求項３】
ログ記憶手段が記憶するログに基づいて、各規格利用者の端末に送信した規格または改版情報の量を判定し、判定した量に応じて前記各規格利用者に対する課金情報を作成する課金情報作成手段と、
課金情報作成手段が作成した課金情報を記憶する課金情報記憶手段とを備えた
請求項２に記載の規格管理システム。
【請求項４】
規格管理システムにアクセスする各アクセス者の識別情報と共に、各アクセス者の種別を記憶するアクセス者情報記憶手段と、
規格利用者の端末から前記規格利用者の識別情報を受信し、受信した識別情報がアクセス者情報記憶手段に記憶されている場合には認証に成功したものと判定し、受信した識別情報がアクセス者情報記憶手段に記憶されていない場合には認証に失敗したものと判定する認証手段と、
認証手段が認証に成功したと判定した場合に、前記規格利用者の識別情報に基づいて前記規格利用者の種別を判定する種別判定手段とを備え、
規格等提供手段は、種別判定手段によって判定された種別に応じて、前記規格利用者の端末に送信する情報を制限する
請求項１から請求項３のうちのいずれか１項に記載の規格管理システム。
【請求項５】
改版情報受信手段は、規格送信手段が送信した規格内の修正範囲の情報と、前記修正範囲内で変更される文言の情報とを含む改版情報を受信する
請求項１から請求項４のうちのいずれか１項に記載の規格管理システム。
【請求項６】
改版情報受信手段は、規格送信手段が送信した規格内で置換される語と置換後の語とを含む改版情報を受信する
請求項１から請求項５のうちのいずれか１項に記載の規格管理システム。
【請求項７】
規格利用者の端末からの要求に応じて、前記規格利用者の端末が指定した規格を当該規格を保持する情報処理装置から受信し、前記規格を記憶するとともに、前記規格を前記規格利用者の端末に送信する外部規格提供手段を備え、
改版情報受信手段は、規格送信手段が送信した規格内の、外部規格提供手段が送信した規格が挿入される範囲の情報と、外部規格提供手段が送信した規格内の、前記範囲に挿入される引用部分の情報とを含む改版情報とを受信する
請求項１から請求項６のうちのいずれか１項に記載の規格管理システム。
【請求項８】
外部規格提供手段は、規格利用者の端末が指定した規格を当該規格を保持する情報処理装置から受信したときに、当該規格が第何版の規格であるのかを示す版数を特定し、
改版情報登録手段は、前記版数の情報を改版情報に含めて規格記憶手段に記憶させ、
規格等提供手段は、前記版数の情報を含む改版情報を規格利用者の端末に送信する
請求項７に記載の規格管理システム。
【請求項９】
規格記憶手段に記憶された改版情報に基づいて、規格利用者の端末によって指定された規格内の修正された項目を抽出し、抽出した項目の一覧情報を前記規格利用者の端末に送信する修正項目一覧情報送信手段を備え、
規格等提供手段は、前記規格利用者の端末によって前記一覧情報に含まれる項目が指定された場合に、指定された項目の修正後の内容を前記規格利用者の端末に送信する
請求項１から請求項８のうちのいずれか１項に記載の規格管理システム。
【請求項１０】
規格記憶手段は、規格をＸＭＬによって記述された文書として記憶し、
改版情報登録手段は、改版後の規格および改版情報をＸＭＬによって記述された文書として規格記憶手段に記憶させる
請求項１から請求項９のうちのいずれか１項に記載の規格管理システム。
【請求項１１】
改版情報受信手段は、改版理由を含む改版情報を受信し、
改版情報登録手段は、前記改版理由を含む改版情報を規格記憶手段に記憶させ、
規格等提供手段は、前記改版理由を含む改版情報を規格利用者の端末に送信する
請求項１から請求項１０のうちのいずれか１項に記載の規格管理システム。
【請求項１２】
規格記憶手段が、規格を記憶し、
規格送信手段が、端末からの要求に応じて、規格記憶手段が記憶する規格を前記端末に送信し、
改版情報受信手段が、前記規格に対する改版情報を前記端末から受信し、
改版情報登録手段が、前記改版情報に基づいて作成される改版後の規格と前記改版情報とを規格記憶手段に記憶させ、
規格等提供手段が、規格利用者の端末からの要求に応じて、少なくとも改版された最新の規格と、前記最新の規格の改版情報とを前記規格利用者の端末に送信する
ことを特徴とする規格管理方法。
【請求項１３】
規格を記憶する規格記憶手段を備えたコンピュータに、
端末からの要求に応じて、規格記憶手段が記憶する規格を前記端末に送信する処理、
前記規格に対する改版情報を前記端末から受信する処理、
前記改版情報に基づいて作成される改版後の規格と前記改版情報とを規格記憶手段に記憶させる処理、および
規格利用者の端末からの要求に応じて、少なくとも改版された最新の規格と、前記最新の規格の改版情報とを前記規格利用者の端末に送信する処理
を実行させるための規格管理プログラム。
【発明の詳細な説明】
【技術分野】
【０００１】
本発明は、規格の改版履歴管理や、規格および改版履歴の提供に用いられる規格管理システム、規格管理方法および規格管理プログラムに関する。
【背景技術】
【０００２】
これまで様々な規格が作成されている。規格として、例えば、ＩＳＯ（国際標準化機構）によって標準化された規格や、ＪＩＳ（日本工業規格）等があり、その内容は、セキュリティに関する規格やマネジメントに関する規格等多岐に渡る。
【０００３】
一旦作成された規格であっても、定期的に改版される。規格を改版する場合、改版前の規格の文書をコピーし、そのコピーした文書に対して変更を行うことによって新たな規格の文書を作成していた。なお、規格の文書は、電子データ化されていることが一般的である。規格改版のために電子データ化された文書をコピーする場合、電子データのファイル単位でコピーを作成するのではなく、電子データ化されている改版前の規格の文書に含まれる文章毎にコピーアンドペーストを行うことによって（あるいは新たにタイピングを行うことによって）コピーを作成することが一般的である。また、規格の作成や改版を行う際に、関連する他の規格の一部を引用して、作成中（または改版中）の規格に取り込むこともある。
【０００４】
改版された規格は、例えば官報等で公表される。また、最新の規格を利用者に提供する場合、規格単位で利用者に規格を販売している。
【０００５】
また、規格が改版されると、規格の利用者は、どの箇所が変更されたのかを調査する。このとき、利用者は、改版前の規格と改版後の規格とを比較して、手作業で変更箇所を探す。また、セキュリティに関する規格では、ＩＳＭＳ（Information Security Management System）認証取得制度がある。この制度における審査（マネジメント審査）においても、改版前の規格と改版後の規格の双方を参照する場合がある。
【０００６】
また、規格が作成されると、その規格に適合するように作業等がなされているか否かを評価するツール（以下、アセスメントツールと記す。）も作成される場合がある。アセスメントツールは、例えば、規格が定めたある基準について「いつも行っている。」、「時々行っている。」、「管理しているが行っていない。」、「管理していない。」等の回答の選択肢を利用者に提示し、利用者の回答に対して予め回答毎に用意した配点を加点し、その基準に沿った作業等がなされているか否かを評価する。また、規格が作成されると、その規格を解説するガイドブックも作成される。また、ガイドブックには、作成された規格を引用した業界ガイドライン等も含まれる。
【０００７】
なお、Ｗｅｂページのコンテンツやデータベースの内容等も更新される場合がある。特許文献１には、Ｗｅｂページのコンテンツの更新作業の操作性向上を目的とするホームページ更新装置が記載されている。特許文献１に記載のホームページ更新装置では、予め定められている内容更新箇所に拡張タグを付加したＷｅｂページ（ＨＴＭＬ文書）を作成し、そのＷｅｂページを表示したときに、拡張タグが付加された箇所について更新内容の入力を受け付ける構成になっている。
【０００８】
また、特許文献２には、データベースの供給元がデータベースの供給先にデータベースを供給した後に、供給元のデータベースの内容が更新されたときに、更新前の内容と更新後の内容の差分データを抽出して、その差分データを記録したＣＤ−ＲＯＭを供給先に送付するためのデータベース配給システムが記載されている。このシステムでは、差分データをＣＤ−ＲＯＭに記録するほかに、送付したＣＤ−ＲＯＭの種類を示すＩＤと送付日を示す情報をＷＷＷサーバに保持させる。そして、データベースの供給先の者が、端末のブラウザを用いてＣＤ−ＲＯＭのＩＤや送付日を閲覧できるようにしている。
【０００９】
また、情報の共有化を図るシステムとして、情報の変更が生じた場合に、その情報の即時提供・共有化の実現を目的としたシステムが提案されている（例えば特許文献３参照）。また、インターネット等を介して、商品等のマニュアルをユーザが入手できるようにしたシステムも提案されている（例えば特許文献４参照）。
【００１０】
【特許文献１】特開２００３−１３１９８８号公報
【特許文献２】特開２００１−２６５６３０号公報
【特許文献３】特開２００３−１２２８１８号公報
【特許文献４】特開２００１−３０６５８５号公報
【発明の開示】
【発明が解決しようとする課題】
【００１１】
従来の規格改版や、利用者への規格提供には、以下のような問題があった。規格を改版するときには、改版前の規格の文書に含まれる文章毎に、コピーアンドペースト等を行うことによってコピーを作成する。従って、コピー作業者の作業が正確に行われない場合に、転写ミスが生じ、本来変更箇所でない部分が変更されてしまうことがあった。例えば、改版前の規格における「ＡＢＣＤＥＦ」という文章を、「ＡＢＣＤＦＥ」という文章に変更するとする。この場合、各文章がコピーアンドペーストやタイピングによってコピーされるが、このとき作業者が、例えば「Ｄ」の文章をコピーし忘れてしまうことがある。すると、改版後の規格では「ＡＢＣＤＦＥ」という文章が含まれるべきであるのに、「ＡＢＣＦＥ」という文章になってしまう。すなわち、「Ｄ」の文章は変更箇所でないにもかかわらず、削除されてしまうことになる。この結果、改版後の規格内に論理的な矛盾が生じてしまう場合が生じる。
【００１２】
また、関連する他の規格の一部を引用して、作成中（または改版中）の規格に取り込むことがあるが、引用した他の規格が改版されることもある。すると、どの版の規格を引用したのかがわからなくなってしまう場合が生じる。
【００１３】
また、規格の利用者は、変更箇所を調査する場合、改版前の規格と改版後の規格とを比較して、手作業で変更箇所を探す。そのため、変更箇所を調査する負担が大きかった。マネジメント審査において改版前の規格と改版後の規格の双方を参照する場合にも、同様の負担が生じていた。
【００１４】
また、規格が改版されると、アセスメントツールやガイドブックも手直しする必要が生じる。この場合も、改版前後の規格を比較してどの箇所が変更されたのかを調査しなければならないため、手直し作業の負担が大きかった。
【００１５】
また、改版された規格は、例えば官報等で公表されるが、一般の規格利用者が官報の内容まで完璧に把握することは困難であり、官報による公報内容を一般の規格利用者に周知させにくかった。同様に、業界での訂正解釈も、一般の規格利用者に周知させにくかった。また、規格が改版されたときには、改版後の文書のみが公開される。そのため、改版後の規格の内容について利用者間で解釈の相違が生じる余地があった。
【００１６】
また、最新の規格を利用者に提供する場合、規格単位で利用者に規格を販売している。そのため、規格がどの程度利用されているのかを把握しにくかった。また、規格の利用頻度が高い利用者であっても、利用頻度が低い利用者であっても、同一の規格であれば同一価格で販売していた。しかし、利用者にとっては、規格の利用頻度に応じて課金されることが好ましい。
【００１７】
また、規格を参照する者には、規格作成者、一般の利用者、アセスメントツール等の作成者等、様々な者が含まれる。このような参照者の種類によって、規格へのアクセス制限を設けられるようにすることが好ましい。例えば、規格作成者が、公開してよいという判断を行うまでは、規格作成者等の限られた者のみが規格を参照でき、一般の利用者はまだ閲覧することができない等の制限を設けられることが好ましい。
【００１８】
そこで、本発明は、改版時に生じる転写ミス等の誤りの排除、引用した規格の把握容易化、変更箇所の把握容易化、変更内容の周知容易化、規格の利用頻度の把握容易化、規格の利用頻度に応じた課金、規格参照者の種類に応じたアクセス制限を実現することができる規格管理システム、規格管理方法および規格管理プログラムを提供することを目的とする。
【００１９】
なお、特許文献１に記載されたホームページ更新装置は、更新箇所および更新内容が予め定められている。従って、どの箇所が変更されるのかが特定されない規格の改版に、特許文献１に記載の発明を適用することは困難である。また、上記の問題を解決できるものではない。また、特許文献２に記載された発明は、データベースの供給先に、効率的かつ確実に更新後のデータベースを共有させることを目的としていて、上記の問題を解決できるものではない。
【課題を解決するための手段】
【００２０】
本発明による規格管理システムは、規格を記憶する規格記憶手段と、端末からの要求に応じて、規格記憶手段が記憶する規格を端末に送信する規格送信手段と、規格に対する改版情報を端末から受信する改版情報受信手段と、改版情報に基づいて作成される改版後の規格と改版情報とを規格記憶手段に記憶させる改版情報登録手段と、規格利用者の端末からの要求に応じて、少なくとも改版された最新の規格と、最新の規格の改版情報とを規格利用者の端末に送信する規格等提供手段とを備えたことを特徴とする。
【００２１】
規格等提供手段と規格利用者の端末との間の情報送受信記録であるログを作成するログ作成手段と、ログ作成手段が作成したログを記憶するログ記憶手段とを備えていることが好ましい。そのような構成によれば、規格や改版情報の利用頻度を容易に把握することができる。
【００２２】
ログ記憶手段が記憶するログに基づいて、各規格利用者の端末に送信した規格または改版情報の量を判定し、判定した量に応じて各規格利用者に対する課金情報を作成する課金情報作成手段と、課金情報作成手段が作成した課金情報を記憶する課金情報記憶手段とを備えていることが好ましい。そのような構成によれば、規格に関する情報の提供量に応じた課金を行うことができる。
【００２３】
規格管理システムにアクセスする各アクセス者の識別情報と共に、各アクセス者の種別を記憶するアクセス者情報記憶手段と、規格利用者の端末から規格利用者の識別情報を受信し、受信した識別情報がアクセス者情報記憶手段に記憶されている場合には認証に成功したものと判定し、受信した識別情報がアクセス者情報記憶手段に記憶されていない場合には認証に失敗したものと判定する認証手段と、認証手段が認証に成功したと判定した場合に、規格利用者の識別情報に基づいて規格利用者の種別を判定する種別判定手段とを備え、規格等提供手段が、種別判定手段によって判定された種別に応じて、規格利用者の端末に送信する情報を制限する構成であることが好ましい。そのような構成によれば、アクセス者の種別に応じた情報提供をすることができる。
【００２４】
改版情報受信手段が、規格送信手段が送信した規格内の修正範囲の情報と、修正範囲内で変更される文言の情報とを含む改版情報を受信する構成であることが好ましい。そのような構成によれば、修正範囲以外の部分については、改版前の状態を維持することができる。その結果、変更すべきでない点が変更されてしまい、それに伴い規格内に論理的な矛盾が生じてしまうという問題点が解消される。
【００２５】
改版情報受信手段が、規格送信手段が送信した規格内で置換される語と置換後の語とを含む改版情報を受信する構成であることが好ましい。そのような構成によれば、置換対象部分以外については、改版前の状態を維持することができる。その結果、変更すべきでない点が変更されてしまい、それに伴い規格内に論理的な矛盾が生じてしまうという問題点が解消される。
【００２６】
規格利用者の端末からの要求に応じて、規格利用者の端末が指定した規格を当該規格を保持する情報処理装置から受信し、規格を記憶するとともに、規格を規格利用者の端末に送信する外部規格提供手段を備え、改版情報受信手段が、規格送信手段が送信した規格内の、外部規格提供手段が送信した規格が挿入される範囲の情報と、外部規格提供手段が送信した規格内の、その範囲に挿入される引用部分の情報とを含む改版情報とを受信する構成であることが好ましい。そのような構成によれば、規格が挿入される範囲以外の部分については、改版前の状態を維持することができる。その結果、変更すべきでない点が変更されてしまい、それに伴い規格内に論理的な矛盾が生じてしまうという問題点が解消される。
【００２７】
外部規格提供手段が、規格利用者の端末が指定した規格を当該規格を保持する情報処理装置から受信したときに、当該規格が第何版の規格であるのかを示す版数を特定し、改版情報登録手段が、版数の情報を改版情報に含めて規格記憶手段に記憶させ、規格等提供手段は、版数の情報を含む改版情報を規格利用者の端末に送信する構成であることが好ましい。そのような構成によれば、規格利用者は、引用されている規格の期限有効性（現在その外部規格は有効であるか、または、いつまでその外部規格が有効であるか）を判断することができる。
【００２８】
規格記憶手段に記憶された改版情報に基づいて、規格利用者の端末によって指定された規格内の修正された項目を抽出し、抽出した項目の一覧情報を規格利用者の端末に送信する修正項目一覧情報送信手段を備え、規格等提供手段が、規格利用者の端末によって一覧情報に含まれる項目が指定された場合に、指定された項目の修正後の内容を規格利用者の端末に送信する構成であることが好ましい。そのような構成によれば、変更された項目の内容を重点的に送信することができる。また、規格利用者に対して課金を行う場合には、規格の改版後における課金をリーズナブル化することができる。
【００２９】
規格記憶手段が、規格をＸＭＬによって記述された文書として記憶し、改版情報登録手段が、改版後の規格および改版情報をＸＭＬによって記述された文書として規格記憶手段に記憶させる構成であることが好ましい。そのような構成によれば、改版時における変更点等として様々な要素を抽出することができる。
【００３０】
改版情報受信手段が、改版理由を含む改版情報を受信し、改版情報登録手段が、改版理由を含む改版情報を規格記憶手段に記憶させ、規格等提供手段が、改版理由を含む改版情報を規格利用者の端末に送信する構成であることが好ましい。そのような構成によれば、規格利用者に改版理由を知らせることができる。
【００３１】
また、本発明による規格管理方法は、規格記憶手段が、規格を記憶し、規格送信手段が、端末からの要求に応じて、規格記憶手段が記憶する規格を端末に送信し、改版情報受信手段が、規格に対する改版情報を端末から受信し、改版情報登録手段が、改版情報に基づいて作成される改版後の規格と改版情報とを規格記憶手段に記憶させ、規格等提供手段が、規格利用者の端末からの要求に応じて、少なくとも改版された最新の規格と、最新の規格の改版情報とを規格利用者の端末に送信することを特徴とする。
【００３２】
また、本発明による規格管理プログラムは、規格を記憶する規格記憶手段を備えたコンピュータに、端末からの要求に応じて、規格記憶手段が記憶する規格を端末に送信する処理、規格に対する改版情報を端末から受信する処理、改版情報に基づいて作成される改版後の規格と改版情報とを規格記憶手段に記憶させる処理、および規格利用者の端末からの要求に応じて、少なくとも改版された最新の規格と、最新の規格の改版情報とを規格利用者の端末に送信する処理を実行させることを特徴とする。
【発明の効果】
【００３３】
本発明によれば、規格を記憶する規格記憶手段と、端末からの要求に応じて、規格記憶手段が記憶する規格を端末に送信する規格送信手段と、規格に対する改版情報を端末から受信する改版情報受信手段と、改版情報に基づいて作成される改版後の規格と改版情報とを規格記憶手段に記憶させる改版情報登録手段と、規格利用者の端末からの要求に応じて、少なくとも改版された最新の規格と、最新の規格の改版情報とを規格利用者の端末に送信する規格等提供手段とを備えているので、規格利用者に規格や改版情報を提供することができる。また、改版前の規格を規格利用者に提供することも可能である。
【発明を実施するための最良の形態】
【００３４】
以下、本発明を実施するための最良の形態を、図面を参照して説明する。図１は、本発明による規格管理システムと規格管理システムを利用する各端末とを示す説明図である。規格管理システム７および図１に示す各端末１〜６は、インターネット等の通信ネットワーク１００を介して接続される。以下、通信ネットワーク１００がインターネットである場合を例にして説明する。なお、本実施形態では、インターネット１００には、規格保持装置８も接続されている。規格管理システム７は、規格管理システム７自身が保持している規格の一部に、他の規格の一部を引用して挿入することがある。規格保持装置８は、この引用される規格を保持する情報処理装置である。また、引用される規格を、以下、外部規格と記す。規格保持装置８は、一台に限定されず、複数台存在してもよい。
【００３５】
第１の端末１、第２の端末２、第３の端末３、第４の端末４、第５の端末５、および第６の端末６は、それぞれ、パーソナルコンピュータ等の情報処理装置であり、各端末１〜６には、ブラウザおよびメーラ（電子メールソフト）が搭載されている。また、図１では、第１の端末１から第６の端末６までを一台ずつ示したが、第１の端末１から第６の端末６までの各種端末１〜６は、それぞれ複数台存在していてもよい。
【００３６】
第１の端末１は、規格の作成、改訂または訂正等を行う者（以下、まとめて「規格作成者等」と記す。）によって使用される。規格作成者等には、例えば、規格作成者、各規格策定委員、および規格用語審議委員等が含まれる。第１の端末１は、規格作成者等の操作に従って、規格管理システム７に新たに作成した規格を登録させたり、外部規格を取り込ませたりする。
【００３７】
第２の端末２は、規格訂正受付者、規格訂正通知者（以下、まとめて「規格訂正受付・通知者」と記す。）によって使用される。規格管理システム７上において規格が改版、訂正等されて、その規格を公開してよいという判断が規格作成者等によってなされた場合、第２の端末２は、規格管理システム７から改版等された規格を公開してよい旨の情報を受け付ける。そして、規格訂正受付・通知者の操作に従って、その規格の公開を規格管理システム７に要求する。規格管理システム７は、第２の端末２から規格の公開要求を受けた後には、利用者の端末（例えば、第３の端末３等）からの要求に応じて規格を提供する。
【００３８】
第３の端末３は、規格を閲覧する一般利用者によって使用される。第３の端末３は、一般利用者の操作に従って、規格表示画面（規格を表示する画面）を規格管理システム７に要求する。規格管理システム７は、第３の端末３からの要求に応じて規格表示画面の情報を送信する。第３の端末３は、規格表示画面を表示して、一般利用者に規格を閲覧させる。
【００３９】
第４の端末４は、規格管理システム７において作成や改版がなされた規格に基づいて子規格、ガイドライン、または審査基準等を作成する規格利用者（以下、子規格等作成者と記す。）によって使用される。第４の端末４は、子規格等作成者の操作に従って、規格自体とともに、規格の改版履歴、改版前の規格、関連する外部規格の情報を規格管理システム７に要求する。規格管理システム７は、第４の端末４からの要求に応じて、要求された情報を提供する。子規格等作成者は、規格管理システム７から取得した情報を用いて、子規格、ガイドライン、または審査基準等を作成する。
【００４０】
第５の端末５は、規格管理システム７において作成や改版がなされた規格に基づいてアセスメントツールを作成する規格利用者（以下、ツール作成者と記す。）によって使用される。第５の端末５は、ツール作成者の操作に従って、規格自体とともに、規格の改版履歴、改版前の規格、関連する外部規格の情報を規格管理システム７に要求する。規格管理システム７は、第５の端末５からの要求に応じて、要求された情報を提供する。ツール作成者は、規格管理システム７から取得した情報を用いて、アセスメントツールを作成したり、アセスメントツールの手直しを行ったりする。なお、第５の端末５に、アセスメントツールとしての処理を実行させるアセスメントツールプログラムが搭載されていてもよい。そして、他の端末からの要求に応じて、アセスメントツール機能を他の端末に提供してもよい。
【００４１】
第６の端末６は、規格管理システム７および各端末の利用者を管理するシステム管理者によって使用される。第６の端末６は、システム管理者の操作に従って、規格作成者等、規格訂正受付・通知者、一般利用者、子規格等作成者、ツール作成者、およびシステム管理者の情報（例えば、氏名、電子メールアドレス等）を規格管理システム７に登録させる。
【００４２】
以下、上記の各端末１〜６に応じた各使用者（規格作成者等、規格訂正受付・通知者、一般利用者、子規格等作成者、ツール作成者、およびシステム管理者）をまとめて会員と記す。会員は、「規格作成者等」、「規格訂正受付・通知者」、「一般利用者」、「子規格等作成者」、「ツール作成者」等の種別に分類される。会員の種別を「会員のレベル」と記すこともある。第６の端末は、会員の情報を規格管理システム７に登録させる際、会員のレベルも会員毎に登録させる。
【００４３】
図２は、規格管理システム７の構成の例を示すブロック図である。制御部１１は、記憶部１２が記憶する規格管理プログラム１３に従って、各種処理を実行する。ネットワークインタフェース部１４は、インターネット１００を介して各端末１〜６や規格保持装置８と情報を送受信するインタフェースである。
【００４４】
規格データベース１５は、規格の条文データや、規格が改版される場合における改版内容データ等を記憶する。改版内容データには、規格に加えた修正内容だけでなく、規格改版の理由、版数（第何版の規格であるか）、言語、修正ステータス（追加、更新、削除のいずれであるのか）、修正者名、修正日時等が含まれる。ただし、改版内容データに含まれる情報は、ここに挙げた項目に限定されるわけではない。また、改版が行われた場合、改版前の規格の条文データは、そのまま残され、新たに改版後の規格の条文データが規格データベース１５に記憶される。また、既に作成されている規格の一部に、外部規格一部を引用して挿入する場合、引用される規格と引用先の規格とを示す外部規格リンク情報等も記憶する。用語データベース１６は、規格に用いられる用語や訳語の定義や、規格に用いられている文言の解釈を表す情報等を記憶する。規格データベース１５や用語データベース１６に記憶される各種情報は、規格作成者等によって使用される第１の端末１から送信される。なお、規格データベース１５が記憶する各種データ（規格の条文データ、改版内容データ、外部規格リンク情報等）および用語データベース１６が記憶する各種データ（用語や訳語の定義、解釈等）は、ＸＭＬ（eXtensible Markup Language）によって記述される。
【００４５】
外部規格取込データデータベース１７は、制御部１１が規格保持装置８にアクセスして規格保持装置８から受信した外部規格を記憶する。この外部規格の一部が引用され、既に作成されている規格の一部に挿入される。
【００４６】
会員データベース１８は、第６の端末６から送信される規格作成者等、規格訂正受付・通知者、一般利用者、子規格等作成者、ツール作成者、およびシステム管理者の情報を、各人のＩＤやパスワードとともに記憶する。
【００４７】
課金データベース１９は、規格利用者（一般利用者、子規格等作成者、およびツール作成者）に対する課金情報を記憶する。課金は、各利用者が端末を利用して規格等の情報を閲覧したり、情報を規格管理システム７からダウンロードする場合に、規格管理システム７が提供した情報量に応じて加算される。
【００４８】
ログデータベース２０は、会員が使用する各端末と規格管理システム７とが行う情報の送受信記録（ログ）を記憶する。課金は、ログデータベース２０が記憶するログに基づいて計算され、課金データベース１９に記憶される。
【００４９】
制御部１１は、以下の各機能を実現する。まず、制御部１１は、認証機能を実現する。すなわち、第１の端末１から第６の端末６までの各端末からアクセスがあった場合、ＩＤおよびパスワードをその端末に要求し、ＩＤおよびパスワードが会員データベース１８に登録されている場合に規格管理システム７の利用を許可する。
【００５０】
また、制御部１１は、会員管理機能を実現する。すなわち、制御部１１は、第６の端末６からの要求に応じて、会員データベース１８に各人（規格作成者等、規格訂正受付・通知者、一般利用者、子規格等作成者、ツール作成者、およびシステム管理者）の情報と、ＩＤおよびパスワードを会員データベース１８に登録させる処理を実行する。そして、認証に成功した会員の端末との情報の送受信記録（ログ）をログデータベース２０に記憶させる。また、そのログに基づいて、各会員に対する課金を計算し、課金データベース１９に課金情報を記憶させる。また、制御部１１は、会員の種別に応じて、端末から要求された規格等の情報を提供してよいか否かを判定し、提供してはいけないと判定した場合には、情報の提供を禁止する。
【００５１】
また、制御部１１は、改版内容定義機能を実現する。すなわち、制御部１１は、第１の端末１から新規の規格の条文や用語の定義等を受信した場合には、受信した情報を規格データベース１５または用語データベース１６に記憶させる。そして、規格の変更内容の情報を受信した場合には、その内容を規格データベース１６に記憶させる。さらに、第１の端末１からの要求に応じて、規格保持装置８から外部規格を取り込んで、その外部規格の一部を引用した場合には、外部規格リンク情報を規格データベース１６に記憶させる。
【００５２】
また、制御部１１は、規格公開機能を実現する。すなわち、規格利用者の端末（例えば、第３の端末３ないし第５の端末５）からの要求に応じて、規格表示画面の情報を送信して規格表示画面を表示させたり、規格の条文データ等の各種データのデータファイルを送信したりする処理を実行する。
【００５３】
なお、制御部１１の実行する処理は、上記の各処理に限定されるわけではない。
【００５４】
また、規格管理システム７は、各端末に表示させる画面の情報を予め記憶装置等に記憶させておく。これらの画面の情報は、例えば、ＸＭＬ等の言語によって記述される。
【００５５】
上記の構成において、規格記憶手段は、規格データベース１５によって実現される。規格送信手段、改版情報受信手段、規格等提供手段、および修正項目一覧情報送信手段は、制御部１１およびネットワークインタフェース部１４によって実現される。改版情報登録手段、ログ作成手段、課金情報作成手段、認証手段、および種別判定手段は、制御部１１によって実現される。ログ記憶手段は、ログデータベース２０によって実現される。課金情報記憶手段は、課金データベース１９によって実現される。アクセス者情報記憶手段は、会員データベース１８によって実現される。外部規格提供手段は、制御部１１とネットワークインタフェース部１４と外部規格取込データデータベース１７とによって実現される。
【００５６】
次に、規格管理システム７の動作について説明する。まず、システム管理者が使用する第６の端末６からの要求に応じて、会員の情報を登録する場合の動作について説明する。ただし、本例では、システム管理者の情報（例えば、氏名、住所、電話番号、電子メールアドレス、会員レベル、ＩＤおよびパスワード）は、既に会員データベース１８に登録されているものとする。
【００５７】
まず、システム管理者は、会員になろうとする者から会員登録の申し込みを受け付ける。このとき、システム管理者は、登録内容（例えば、氏名または法人名、住所、電話番号、電子メールアドレス、会員レベル）の情報を会員から通知される。この通知方法として、電話による通知、ファクシミリによる通知、電子メールによる通知等の各種方法が考えられるが、どのような通知方法であってもよい。
【００５８】
続いて、第６の端末６および規格管理システム７は、認証を行う。図３は、認証処理のフローチャートである。端末は、使用者の操作に従って、規格管理システム７にアクセスする（ステップＳ１０１）。すなわち、規格管理システム７が提供する画面（本例では会員登録画面）を要求する。規格管理システム７の制御部１１は、端末からアクセスがあった場合、ＩＤおよびパスワードの入力画面の情報を端末に送信する（ステップＳ１０２）。なお、この入力画面の情報は、予め規格管理システム７の記憶装置等に記憶しておけばよい。端末は、ステップＳ１０２で入力画面の情報を受信すると、その情報に基づいてＩＤおよびパスワードの入力画面を表示する。端末は、使用者によってその画面内にＩＤおよびパスワードを入力され、使用者の操作に従ってそのＩＤおよびパスワードを規格管理システム７に送信する（ステップＳ１０３）。規格管理システム７の制御部１１は、ＩＤおよびパスワードを受信すると、そのＩＤおよびパスワードが会員データベース１８に登録済みであるか否かを判定する（ステップＳ１０４）。そして、登録済みであるならば、認証に成功したと判定し、次の処理に移行する。また、制御部１１は、認証に成功した場合、ＩＤに対応する会員レベルを確認し、会員レベルに応じた処理の要求を受け付ける。登録されていないならば、認証に失敗したと判定し、処理を終了する。
【００５９】
制御部１１は、システム管理者の認証に成功したならば、会員登録画面の情報を第６の端末６に送信する。会員登録画面の情報は、予め規格管理システム７の記憶装置等に記憶しておけばよい。第６の端末６は、会員登録画面の情報を受信すると、その情報に基づいて会員登録画面を表示し、登録内容の入力を促す。図４は、会員登録画面の例を示す説明図である。図４に例示する画面は、氏名または法人名の入力欄、住所の入力欄、電話番号の入力欄、電子メールアドレスの入力欄、および会員レベルの入力欄を有している。第６の端末６は、会員登録を申し込んだ者がシステム管理者に通知した登録内容を、これらの入力欄に入力される。なお、図４において、会員レベルの入力形式は、「作成者」、「公開者」、「利用者」の３種類の中から選択する形式になっている。図４に示す「作成者」とは、規格作成者等に相当する。また、「公開者」は、規格訂正受付・通知者に相当する。また、「利用者」は、一般利用者、子規格等作成者、およびツール作成者に相当する。第６の端末６は、図４に示す「登録」ボタンがクリックされると、入力された情報を規格管理システム７に送信する。なお、図４に示す「取消」ボタンがクリックされると、第６の端末６は、各入力欄に入力された内容を削除する。なお、図４に示す例では、「一般利用者」、「子規格等作成者」、および「ツール作成者」は、「利用者」として同じレベルで登録される場合を示しているが、以下の説明では、「一般利用者」、「子規格等作成者」、および「ツール作成者」は別々の会員レベルであるものとして説明する。
【００６０】
規格管理システム７の制御部１１は、第６の端末から登録内容を受信すると、新規にＩＤおよびパスワードを割り当て、そのＩＤおよびパスワードに対応させて受信した登録内容を会員データベース１８に記憶させる。また、制御部１１は、新規に割り当てたＩＤおよびパスワードを第６の端末６に送信する。第６の端末６は、受信したＩＤおよびパスワードを表示し、システム管理者に提示する。システム管理者は、そのＩＤおよびパスワードを、会員登録の申し込みをした者に通知する。この通知方法は、どのような通知方法であってもよい。会員登録の申し込みをした者は、規格管理システム７にアクセスする際、このＩＤおよびパスワードを用いて認証を受ける。なお、上記の例では、制御部１１がＩＤおよびパスワードを割り当てる場合を示したが、システム管理者がＩＤおよびパスワードを割り当ててもよい。この場合、第６の端末６は、システム管理者が割り当てたＩＤおよびパスワードを他の登録内容とともに規格管理システム７に送信すればよい。
【００６１】
次に、規格作成者等が使用する第１の端末１からの要求に応じて、規格管理システム７が新規規格の登録や規格の変更内容の登録等を行う場合の動作について説明する。新規規格の登録や、変更内容の登録を行う場合、規格管理システム７は、ステップＳ１０１〜Ｓ１０４と同様に、規格作成者等の認証を行う。認証に成功し、ＩＤに対応する会員レベルが規格作成者等であるならば、新規規格の登録処理、あるいは変更内容の登録処理等の処理に移行する。
【００６２】
図５は、新規規格の登録処理の例を示すフローチャートである。認証に成功し、ＩＤに対応する会員レベルが規格作成者等であることを確認した後、規格管理システム７の制御部１１は、第１の端末１から、新規登録画面の要求を受け付ける。そして、制御部１１は、その要求に応じて新規登録画面の情報を第１の端末１に送信する（ステップＳ１）。新規登録画面は、新規規格を入力するための画面である。図６（ａ）は、新規登録画面の例を示す説明図である。図６（ａ）に例示する画面は、新規規格の入力欄を有している。第１の端末１は、規格作成者等によって、新たに作成された規格の全文をこの入力欄に入力される（ステップＳ２）。なお、第１の端末１は、図６（ａ）に示す「登録」ボタンがクリックされると、入力された情報を規格管理システム７に送信する。また、図６（ａ）に示す「取消」ボタンがクリックされると、第１の端末１は、入力欄に入力された内容を削除する。
【００６３】
また、新たに規格を作成する際、既に登録されている規格を規格作成者等が参照する場合がある。この場合、第１の端末１は、規格作成者等の操作に従って、既に登録されている規格の表示画面を要求する（ステップＳ３）。例えば、図６（ａ）に示す「参照」ボタンをクリックされることにより、規格の指定画面を要求する。このとき、規格管理システム７の制御部１１は、要求に応じて、規格の指定画面の情報を送信し、第１の端末１に規格の指定画面を表示させる。第１の端末１は、規格作成者等が参照しようとする規格を、この画面で指定される。そして、指定された規格の情報を規格管理システム７に送信する。制御部１１は、指定された規格の表示画面の情報を第１の端末１に送信する（ステップＳ４）。例えば、「○○規格」という規格を指定されたならば、「○○規格」の内容の表示画面情報を第１の端末１に送信する。第１の端末１は、受信した表示画面の情報に基づいて、指定した規格を表示する（ステップＳ５）。図６（ｂ）は、ステップＳ５で表示される画面の例を示す。この結果、規格作成者等は、既に作成されている規格を参照しながら、新規の規格を入力することができる。
【００６４】
また、新たに作成された規格の全文が入力された後、第１の端末１は、規格作成者等の操作に従って、入力された規格を規格管理システム７に送信する（ステップＳ６）。規格管理システム７の制御部１１は、受信した新規の規格を規格データベース１５に規格条文データとして登録する（ステップＳ７）。このとき、制御部１１は、新規の規格をＸＭＬで既述された文書（ファイル）として登録する。
【００６５】
ここでは、新規の規格を登録する場合の処理について説明したが、新規に用語や訳語の定義を用語データベース１６に登録したり、新規に文言の解釈等を用語データベース１６に登録する場合の処理も、ステップＳ１〜Ｓ７の処理と同様である。
【００６６】
図７は、規格が改版される場合に改版内容を登録する処理の例を示すフローチャートである。認証に成功し、ＩＤに対応する会員レベルが規格作成者等であることを確認した後、制御部１１は、第１の端末１からの要求に応じて、規格作成者等が改版しようとする規格の表示画面の情報を第１の端末１に送信する。第１の端末１は、規格管理システム７から受信した表示画面情報に基づいて、規格作成者等が改版しようとする規格の表示画面を表示する。規格作成者等が改版しようとする規格の表示画面を第１の端末１が要求して表示するまでの処理は、ステップＳ３〜Ｓ５の処理と同様に実行すればよい。
【００６７】
第１の端末１は、規格作成者等が改版しようとする規格の表示画面を表示し、規格作成者等に修正範囲の指定を促す。そして、第１の端末１は、規格作成者等から修正範囲の指定を受け付ける（ステップＳ１１）。第１の端末１は、ステップＳ１１において、修正範囲を例えばマウスのドラッグによって指定される。図８は、規格を改版する際のインタフェース画面の例を示す説明図である。図８に示す画面１５０は、規格作成者等が改版しようとする規格の表示画面の例である。図８では、画面１５０内の「維持していないか」という文言の範囲が修正範囲として指定された場合を例示している。
【００６８】
ステップＳ１１の後、第１の端末１は、規格作成者等の操作に従って、図８に例示する編集画面１６０を規格管理システム７に要求する（ステップＳ１２）。規格管理システム７の制御部１１は、この要求に応じて編集画面１６０の情報を第１の端末１に送信する（ステップＳ１３）。なお、編集画面１６０の情報は、予め規格管理システム７の記憶装置等に記憶しておけばよい。第１の端末１は、ステップＳ１３において受信した情報に基づいて、編集画面１６０を表示する。図８に示すように、編集画面１６０は、改版後の文言を入力する入力欄１６１と、変更理由（改版理由）入力欄１６２とを有している。第１の端末１は、このような編集画面１６０を表示して、改版後の文言および変更理由の入力を規格作成者等に促す。そして、改版後の文言および変更理由の入力を受け付ける（ステップＳ１４）。図８に示す例では、ステップＳ１１で指定された範囲における「維持していない」を「維持している」という文言に変更するように改版後の文言が入力されている。なお、第１の端末１は、編集画面１６０内の「登録」ボタンがクリックされると、入力された情報を規格管理システム７に送信する。また、編集画面１６０内の「取消」ボタンがクリックされると、第１の端末１は、各入力欄に入力された内容を削除する。
【００６９】
その後、第１の端末１は、規格作成者等の操作に従って、ステップＳ１１で指定された修正範囲の情報およびステップＳ１５で入力された情報（改版後の文言および変更理由）を規格管理システム７に送信する（ステップＳ１５）。制御部１１は、これらの情報を受信すると、修正範囲の情報、改版後の文言に基づいて、改版後の規格を作成する。そして、改版後の規格を規格データベース１５に規格条文データとして登録し、また、変更内容（本例では、「維持していない」を「維持している」に修正した旨）および変更理由を改版内容データとして規格データベース１５に登録する（ステップＳ１６）。ステップＳ１６において、制御部１１は、規格条文データや改版内容データをＸＭＬで記述された文書（ファイル）として登録する。また、制御部１１は、改版内容データには、変更内容および変更理由の他に、改版前の規格のファイル名、改版後の規格のファイル名、版数、言語、修正ステータス（追加、更新、削除のいずれであるのか）、修正者名（アクセス者名）、修正日時も含める。改版内容データには、規格に関連する業界における訂正解釈を含めてもよい。この場合、第１の端末１が、改版理由等と同様に、規格に関連する業界における訂正解釈を入力され、その訂正解釈を規格管理システム７に送信すればよい。また、制御部１１は、改版前の規格の文書（ファイル）は削除することなく、そのまま規格データベース１５に残しておく。
【００７０】
なお、第１の端末１が、修正範囲の情報、改版後の文言に基づいて、改版後の規格を作成し、その改版後の規格を規格管理システム７に送信し、制御部１１が改版後の規格を受信してもよい。
【００７１】
ここでは、規格内の文言を他の文言に修正する場合について説明したが、規格作成者等によって、用語や訳語が一括して変更（置換）される場合がある。以下、この場合の動作について説明する。図９は、用語や訳語を置換する際のインタフェース画面の例を示す説明図である。図９に示す画面１５０は、図８に示す画面１５０と同様に、規格作成者等が改版しようとする規格の表示画面の例である。第１の端末１が画面１５０を要求して表示するまで処理は、ステップＳ３〜Ｓ５の処理と同様に実行すればよい。
【００７２】
第１の端末１は、画面１５０内の「置換」ボタンをクリックされると、図９に例示する置換画面１７０を規格管理システム７に要求する。規格管理システム７の制御部１１は、この要求に応じて置換画面１７０の情報を第１の端末１に送信する。なお、置換画面１７０の情報は、予め規格管理システム７の記憶装置等に記憶しておけばよい。第１の端末１は、置換画面１７０の情報を受信し、置換画面１７０を表示する。図９に示すように置換画面１７０は、置換前の用語（または訳語）の入力欄１７１と、置換後の用語（または訳語）の入力欄１７２と、変更理由入力欄１７３とを有している。第１の端末１は、このような置換画面１７０によって、置換前の用語（または訳語）、置換後の用語（または訳語）および変更理由の入力を受け付ける。なお、置換画面１７０内の「登録」ボタンや「取消」ボタンがクリックされた場合の第１の端末１の動作は、編集画面１６０内の「登録」ボタンや「取消」ボタンがクリックされた場合と同様である。
【００７３】
各入力欄１７１〜１７３に対して情報が入力された後、第１の端末１は、規格作成者等の操作に従って、各入力欄１７１〜１７３に入力された情報（置換前の用語や訳語、置換後の用語や訳語、および変更理由）を規格管理システム７に送信する。制御部１１は、これらの情報を受信すると、置換前の用語や訳語および置換後の用語や訳語に基づいて、改版後の規格を作成する。そして、改版後の規格を規格データベース１５に規格条文データとして登録し、また、変更内容および変更理由を改版内容データとして規格データベース１５に登録する。制御部１１は、規格条文データや改版内容データをＸＭＬで記述された文書（ファイル）として登録する。また、制御部１１は、改版内容データには、変更内容および変更理由の他に、改版前の規格のファイル名、改版後の規格のファイル名、版数、言語、修正ステータス、修正者名（アクセス者名）、修正日時も含める。改版内容データには、規格に関連する業界における訂正解釈を含めてもよい。この場合、第１の端末１が、改版理由等と同様に、規格に関連する業界における訂正解釈を入力され、その訂正解釈を規格管理システム７に送信すればよい。また、制御部１１は、改版前の規格の文書（ファイル）は削除することなく、そのまま規格データベース１５に残しておく。
【００７４】
なお、第１の端末１が、置換前の用語や訳語および置換後の用語や訳語に基づいて、改版後の規格を作成し、その改版後の規格を規格管理システム７に送信し、制御部１１が改版後の規格を受信してもよい。
【００７５】
以上のような改版処理（文言の修正や用語などの置換）と同様に、官報による訂正と同一の訂正を行ってもよい。その結果、官報による訂正と同一の訂正が行われた規格ファイルや改版情報が規格データベース５に記憶されることになる。この規格ファイルや改版情報も、他の改版によって生成された規格ファイルや改版情報と同様に、一般利用者、子規格等作成者、ツール作成者に提供することができる。
【００７６】
また、制御部１１は、用語や訳語の置換に伴って規格データベースに記憶させた改版情報から、変更された用語や訳語のみを抽出し、変更された規格用語の用語集を自動策定してもよい。また、その用語集に基づいて、解釈の変更、日本語訳変更、規格に含まれる用語の変更等を行ってもよい。
【００７７】
次に、規格の一部に、他の規格（外部規格）の一部を引用して挿入することによって改版を行う場合について説明する。図１０は、この場合の処理の例を示すフローチャートである。また、図１１は、規格の一部に、他の規格の一部を引用して挿入することによって改版を行う場合のインタフェース画面の例を示す説明図である。認証に成功し、ＩＤに対応する会員レベルが規格作成者等であることを確認した後、制御部１１は、第１の端末１からの要求に応じて、規格作成者等が改版しようとする規格の表示画面（画面１５０）の情報を第１の端末１に送信する。既に説明したように、第１の端末１が画面１５０を要求して表示するまでの処理は、ステップＳ３〜Ｓ５の処理と同様に実行すればよい。
【００７８】
第１の端末１は、規格作成者等が改版しようとする規格の表示画面を表示し、規格作成者等に、引用する文言を挿入する範囲の指定を促す。そして、第１の端末１は、規格作成者等から挿入範囲の指定を受け付ける（ステップＳ２１）。第１の端末１は、ステップＳ２１において、挿入範囲を例えばマウスのドラッグによって指定される。図１１では、画面１５０内の「設置場所に問題はないか」という文言の範囲が挿入範囲として指定された場合を例示している。
【００７９】
ステップＳ２１の後、第１の端末１は、規格作成者等の指示に従って、図１１に例示する外部規格挿入画面１８０を規格管理システム７に要求する（ステップＳ２２）。外部規格挿入画面１８０は、引用する外部規格を指定するためのインタフェース画面である。規格管理システム７の制御部１１は、この要求に応じて外部規格挿入画面１８０の情報を第１の端末１に送信する（ステップＳ２３）。なお、外部規格挿入画面１８０の情報は、予め規格管理システム７の記憶装置等に記憶しておけばよい。
【００８０】
第１の端末１は、ステップＳ２３において受信した情報に基づいて、外部規格挿入画面１８０を表示する。図１１に示すように、外部規格挿入画面１８０は、外部規格を指定するプルダウンメニュー１８１を有する。第１の端末１は、プルダウンメニュー１８１の中から外部規格を選択されることによって、外部規格の指定を受け付ける（ステップＳ２４）。なお、第１の端末１は、外部規格挿入画面１８０内の「登録」ボタンがクリックされると、選択された外部規格の情報を規格管理システム７に送信する。また、編集画面１６０内の「取消」ボタンがクリックされると、第１の端末１は、プルダウンメニュー１８１によって行われた選択を無効にする。また、プルダウンメニュー１８１に、規格作成者等が要求する外部規格が含まれていない場合もある。この場合、第１の端末１は、「新規」ボタン１８１をクリックされることによって、新規の外部規格の指定画面（図示せず）を要求する。制御部１１は、要求に応じて、新規の外部規格の指定画面を第１の端末１に送信する。第１の端末１は、規格作成者等が要求する外部規格の名称等をこの画面上で直接入力されることによって、外部規格の指定を受け付ける。
【００８１】
ステップＳ２４に続いて、第１の端末１は、規格作成者等の操作に従い、指定された外部規格の情報を規格管理システム７に送信する（ステップＳ２５）。規格管理システム７の制御部１１は、外部規格の情報を受信すると、その外部規格を規格保持装置８から取り込む（ステップＳ２６）。すなわち、その外部規格を規格保持装置８に要求し、規格保持装置８からその外部規格を受信する。そして、受信した外部規格を外部規格取込データデータベース１７に登録する。また、ステップＳ２６において、規格保持装置８は、規格管理システム７から外部規格を要求された場合、その外部規格を規格管理システム７に送信する。本例において、規格管理システム７が取り込む外部規格には、その規格の版数の情報が付加されているものとする。従って、制御部１１は、第何版の外部規格を取り込んだのかを判定できる。
【００８２】
ステップＳ２６の後、制御部１１は、第１の端末１を介して指定された外部規格（すなわち、ステップＳ２６で取り込んだ外部規格）の表示画面の情報を第１の端末１に送信する（ステップＳ２７）。第１の端末１は、表示画面の情報を受信したならば、その情報に基づいて、外部規格の表示画面を表示する。ここで表示される外部規格は、ステップＳ２４で指定された外部規格である。図９に示す画面１９０は、第１の端末１が表示する外部規格の表示画面の例である。第１の端末１は、外部規格の表示画面において、引用部分の指定を受け付ける（ステップＳ２８）。このとき、第１の端末１は、引用部分を例えばマウスのドラッグによって指定される。図９に示す画面１９０は、「設置環境は施設製造者の稼働条件を満たしているか。」という文言が引用部分として指定されている場合を例示している。なお、図９に示す画面１９０では、引用理由を入力する欄の図示を省略しているが、外部規格の表示画面には、引用理由の入力欄も設けられる。そして、第１の端末１は、ステップＳ２８において引用理由の入力も受け付ける。
【００８３】
外部規格の表示画面に含まれている「挿入」ボタンがクリックされると、第１の端末１は、ステップＳ２１で指定された挿入範囲の情報や、ステップＳ２８で指定された引用部分の情報および引用理由を規格管理システム７に送信する（ステップＳ２９）。制御部１１は、これらの情報を受信すると、ステップＳ２１で指定された挿入範囲に、ステップＳ２８で指定された引用部分を挿入して改版後の規格を作成する。そして、改版後（引用後）の規格を規格データベース１５に規格条文データとして登録し、また、改版内容データを規格データベース１５に登録する。制御部１１は、規格条文データや改版内容データをＸＭＬで記述された文書（ファイル）として登録する。制御部１１は、改版内容データに、外部規格の版数、外部規格を引用することによって改版された規格の版数、言語、引用部分、引用理由、引用を行った者の名（アクセス者名）、修正日時、引用文が挿入された箇所等を含める。また、引用による改版前のファイル名、改版後のファイル名を改版内容データに含めてもよい。また、制御部１１は、改版前の規格の文書（ファイル）は削除することなく、そのまま規格データベース１５に残しておく。
【００８４】
なお、第１の端末１が、ステップＳ２１で指定された挿入範囲に、ステップＳ２８で指定された引用部分を挿入して改版後の規格を作成し、その改版後の規格を規格管理システム７に送信し、制御部１１が改版後の規格を受信してもよい。
【００８５】
ここでは、文言の修正による改版、用語等の置換による改版、および外部規格の文言を引用することによる改版について説明した。これらの改版処理は、認証に成功した会員のレベル（種別）が「規格作成者等」である場合に実行され、認証に成功した会員のレベルが「規格作成者等」でない場合には実行されない。
【００８６】
次に、規格管理システム７が第２の端末２に、規格の公開が許可されたことを通知し、第２の端末２から規格の公開を要求される場合の処理について説明する。図１２は、この場合の処理の例を示すフローチャートである。なお、公開とは、規格利用者（一般利用者、子規格等作成者、ツール作成者）に規格や、規格の変更内容の情報を提供することであり、例えば、規格利用者の端末からの要求に応じて、その端末に規格や、規格の変更内容の情報を送信することである。
【００８７】
新規に作成された規格や改版された規格を公開していよいか否かの判断は、規格作成者等によって行われる。第１の端末１は、規格を公開してよいと判断した規格作成者等によって、公開が許可された規格の情報を入力される。そして、第１の端末１は、公開が許可された規格の情報を規格管理システム７に送信する（ステップＳ４１）。ただし、第１の端末１は、公開が許可された規格の情報を入力するための画面を規格管理システム７から送信され、公開が許可された規格の情報をその画面上で入力される。また、規格管理システム７の制御部１１は、ステップＳ４１において、まずアクセス者に対する認証を行う。認証処理として、ステップＳ１０１〜Ｓ１０４と同様の処理を行えばよい。制御部１１は、認証に成功し、アクセス者が規格作成者等であった場合に、公開が許可された規格の情報を入力するための画面を第１の端末１に送信する。
【００８８】
規格管理システム７の制御部１１は、公開が許可された規格の情報を第１の端末１から受信すると、その情報を、第２の端末２（規格訂正受付・通知者が使用する端末）に送信する（ステップＳ４２）。ステップＳ４２では、公開が許可された規格の情報を、例え、電子メールで送信すればよい。会員登録の際、会員レベルとともに電子メールアドレスも登録されるので、制御部１１は、電子メールを用いてステップＳ４２の送信処理を実行することができる。規格訂正受付・通知者は、この電子メールを確認することによって、ある規格について公開が許可された旨の情報を受け付ける。
【００８９】
続いて、第２の端末２は、その規格が公開され利用可能になることを規格利用者に通知するための操作をされる。図１３は、規格が公開され利用可能になることを規格利用者に通知する操作を行う際のインタフェース画面の例を示す説明図である。図１３に示す規格公開用画面２００は、規格訂正受付・通知者が規格管理システム７に規格の公開を要求するために用いる画面である。すなわち、規格利用者の端末から要求があったときに規格や規格の変更内容の情報をその端末に送信することを要求するために用いる画面である。図１３に示す公開確認画面２０１は、規格管理システム７が規格の公開を要求された場合に、規格訂正受付・通知者に対して規格を公開してよいことの確認を促すための画面である。
【００９０】
公開が許可された規格の情報が規格訂正受付・通知者に確認された後、第２の端末２は、規格訂正受付・通知者の操作に従って、規格公開用画面を規格管理システム７に要求する（ステップＳ４３）。規格管理システム７の制御部１１は、第２の端末２からの要求を受け付ける際、ステップＳ１０１〜Ｓ１０４と同様に、アクセス者に対する認証を行う。制御部１１は、認証に成功し、アクセス者が規格訂正受付・通知者であったならば、規格公開用画面２００の情報を第２の端末２に送信する（ステップＳ４４）。第２の端末２は、規格公開用画面２００の情報を受信したならば、その情報に基づいて規格公開用画面２００を表示する。規格公開用画面２００には、公開対象となる規格（図１３に示す例では○○規格）が含まれる。規格訂正受付・通知者は、規格公開用画面２００によって表示された規格が、公開が許可された規格に相違ないことを確認する。
【００９１】
続いて、第２の端末２は、規格訂正受付・通知者の操作に従って、規格の公開の指示を受け付ける（ステップＳ４５）。例えば、図１３に示す規格公開用画面２００が有する「公開」ボタンをクリックされることにより、規格の公開指示を受け受ける。すると、第２の端末２は、規格管理システム７に対して規格の公開を要求する（ステップＳ４６）。規格管理システム７の制御部１１は、規格の公開要求を受信したならば、公開確認画面２０１の情報を第２の端末２に送信する。第２の端末２は、公開確認画面２０１を表示して、規格を公開してよいことの確認を規格訂正受付・通知者に促す。
【００９２】
第２の端末２は、公開確認画面２０１を介して、規格訂正受付・通知者から規格を公開してよいことの確認を受け付ける（ステップＳ４８）。例えば、図１３に示す公開確認画面２０１において、「公開」ボタンをクリックされることにより、規格を公開してよいことの確認を受け付ける。ステップＳ４８に続いて、第２の端末２は、規格を公開していよいことの確認を受け付けた旨を規格管理システム７に送信する（ステップＳ４９）。規格管理システム７の制御部１１は、ステップＳ４９で送信された情報を受信したならば、規格が公開され、その規格を利用できる旨を記載した電子メールを規格利用者（一般利用者、子規格等作成者、ツール作成者）に送信する。規格利用者は、この電子メールによって、規格や規格の変更内容の情報を利用できることを知る。以降、制御部１１は、規格利用者の端末から、規格や規格の変更内容の情報の要求があった場合、要求された情報を規格利用者の端末に送信する（ステップＳ５１）。
【００９３】
なお、図１３に示す公開確認画面２０１において、「取消」ボタンがクリックされた場合、第２の端末２は、ステップＳ４６における規格公開の要求が無効にされた旨を規格管理システム７に送信する。規格管理システム７の制御部１１は、この情報を受信した場合、処理を終了し、ステップＳ５０以降の処理を実行しない。
【００９４】
次に、規格管理システム７が、一般利用者によって使用される第３の端末３に規格の情報を提供する場合の処理について説明する。図１４は、この場合の処理の例を示すフローチャートである。また、図１５は、一般利用者に提供される規格表示画面の例を示す説明図である。規格表示画面２１０は、例えば、規格表示欄２１１、改版情報表示欄２１３、および項目指定欄２１４を有している。規格表示欄２１１は、規格を表示する欄である。制御部１１は、一般利用者に提供される規格表示画面の規格表示欄２１１には常に最新版の規格条文が表示されるように規格表示画面を作成する。また、改版時に修正が行われた文言が他と区別して表示されるように、制御部１１は規格表示画面を作成する。図１５では、「維持している」という文言２１２が網かけ表示され、他と区別されている場合の例を示している。なお、図１５では示していないが、規格の一部に、外部規格の一部を引用して挿入した場合には、引用した文言も他と区別して表示されるように、制御部１１は規格表示画面を作成せる。例えば、引用した文言を枠で囲むことによって、他と区別して表示するようにすればよい。
【００９５】
改版情報表示欄２１３は、初期状態においては何も表示されない。規格表示欄２１１において、修正された文言２１２がクリックされた場合には、その修正を行った理由（改版理由）が表示される画面構成になっている。図１５では、修正された文言２１２がクリックされ、その改版理由が改版情報表示欄２１３に表示されている状態を示している。また、規格表示欄２１１において、外部規格を引用した文言（図１５では図示せず。）がクリックされた場合には、引用した外部規格、その外部規格の版数、引用理由等が表示される画面構成になっている。
【００９６】
項目指定欄２１４は、規格に含まれる各項目を表示して、項目の指定を促す欄である。項目が指定（クリック）されると、指定された項目の規格条文が規格表示欄２１１に表示される画面構成となっている。
【００９７】
第３の端末３は、一般利用者の操作に従い、一般利用者が希望する規格の表示画面を規格管理システム７に要求する（ステップＳ６１）。規格管理システム７の制御部１１は、第３の端末３からの要求を受け付ける際、ステップＳ１０１〜Ｓ１０４と同様に、アクセス者に対する認証を行う。制御部１１は、認証に成功し、アクセス者が一般利用者であったならば、一般利用者が希望した規格の表示画面２１０の情報を第３の端末３に送信する（ステップＳ６２）。ステップＳ６２において、制御部１１は、要求された規格条文の最新版を規格条文データベース１５から抽出し、その規格条文を表示する規格表示画面の情報を作成する。このとき、制御部１１は、修正された文言や外部規格を引用した文言が、他の文言と区別されて表示されるようにし、その文言に、関連する改版情報へのリンクを設定する。また、同じ規格に含まれる他の項目が項目指定欄２１４に表示され、各項目に、対応する規格条文へのリンクを設定する。そして、作成した規格表示画面２１０の情報を第３の端末３に送信する。第３の端末３は、表示画面の情報を受信すると、その情報に基づいて規格表示画面２１０を表示する。
【００９８】
第３の端末３は、規格表示画面２１０を表示した後、修正された箇所等のリンク設定部の指定を受け付ける。ここでは、修正された文言２１２が指定される場合を例に説明する。第３の端末３は、修正された文言２１２をクリックされることにより、修正された箇所を指定される（ステップＳ６３）。修正された文言２１２には、関連する改版情報へのリンクが設定されている。具体的には、改版理由を示すデータへのリンクが設定されている。第３の端末３は、修正された文言２１２を指定（クリック）されると、その文言にリンク設定されている改版情報を規格管理システム７に要求する（ステップＳ６４）。規格管理システム７の制御部１１は、要求された改版情報（ここでは改版理由）を規格データベース１５から抽出して第３の端末３に送信し、改版情報表示欄２１３に表示させる（ステップＳ６５）。第３の端末３は、受信した改版情報を改版情報表示欄に２１３に表示する（ステップＳ６６）。
【００９９】
ここでは、修正された文言２１２が指定された場合を例に説明したが、外部規格を引用した文言が指定された場合の処理も同様である。第３の端末３は、外部規格を引用した文言をクリックされると、その文言にリンク設定されている改版情報を規格管理システム７に要求する。規格管理システム７の制御部１１は、要求された改版情報（引用した外部規格、その外部規格の版数、引用理由等）を外部規格取込データデータベース１７や規格データベース１５から抽出して第３の端末３に送信し、改版情報表示欄２１３に表示させる。また、項目指定欄２１４において、他の項目が指定された場合の処理も同様に行えばよい。第３の端末３は、項目指定欄２１４に表示した項目がクリックされると、その項目にリンク設定されている規格条文を規格管理システム７に要求する。規格管理システム７の制御部１１は、要求された規格条文を規格データベース１５から抽出して第３の端末３に送信し、規格表示欄２１１に表示させる。
【０１００】
以上の処理によって、一般利用者は、規格条文を参照して規格の内容を知ることができる。また、規格条文の修正が行われている場合、その修正理由を参照して、改版経緯を知ることができる。また、外部規格が引用されている場合、その外部規格、外部規格の版数、および引用理由を参照することができる。そして、外部規格の版数を参照することにより、その外部規格の期限有効性（現在その外部規格は有効であるか、または、いつまでその外部規格が有効であるか）を判断することができる。また、引用理由を参照することにより、外部規格を引用した経緯を知ることができる。
【０１０１】
また、制御部１１は、第３の端末３から最初にアクセスがあったときから、第３の端末３との情報の送受信が終了するまでの間、情報を送信または受信する度にログを作成し、そのログをログデータベース２０に記録する。
【０１０２】
さらに、制御部１１は、記録したログに基づいて、規格や改版情報を閲覧した一般利用者に課金する料金を計算し、課金データベース１９に記録されている課金情報を更新する。例えば、制御部１１は、一定期間毎に、各一般利用者が閲覧した情報量をログに基づいて判定する。そして、その情報量に応じた料金を各一般利用者毎に算出する。制御部１１は、算出した料金を加算するようにして、課金データベース１９に記録されている各一般利用者の課金情報を更新する。
【０１０３】
次に、規格管理システム７が、子規格等作成者によって使用される第４の端末４に規格の情報を提供する場合の処理について説明する。図１６は、この場合の処理の例を示すフローチャートである。また、図１７は、子規格等作成者に提供される規格表示画面の例を示す説明図である。子規格等作成者に提供される規格表示画面２２０は、規格表示欄２２１と、改版情報表示欄２２３と、項目指定欄２２４とを有している。子規格等作成者に提供される規格表示画面２２０に含まれる規格表示欄２２１、改版情報表示欄２２３、および項目指定欄２２４の表示内容は、一般利用者に提供される規格表示画面２１０に含まれる規格表示欄２１１、改版情報表示欄２１３、および項目指定欄２１４（図１５参照）の表示内容と同様である。規格表示欄２２１内では、修正された文言２２２や外部規格から引用した文言（図１７において図示せず。）は、他の文言と区別して表示される。そして、それらの文言がクリックされると、関連する改版情報が改版情報表示欄２２３に表示される画面構成になっている。また、項目指定欄２２４に表示される各項目が指定された場合、指定された項目の規格条文が規格表示欄２２１に表示される画面構成になっている。ただし、一般利用者に提供される規格表示画面２１０とは異なり、規格表示欄２２１には旧版の規格が表示される場合もある。
【０１０４】
また、子規格等作成者に提供される規格表示画面２２０は、「変更一覧」ボタン２２５と、「ＸＭＬファイルダウンロード」ボタン２２７と、「旧版参照」ボタン２２８とを有している。「変更一覧」ボタン２２５がクリックされると、図１７に示す変更一覧表示画面２２６がシステム管理装置７から呼び出され第４の端末４に表示される画面構成となっている。また、「ＸＭＬファイルダウンロード」ボタン２２７がクリックされると、子規格等作成者が指定した規格の条文を記述したファイルが第４の端末５にダウンロードされる。なお、このファイルはＸＭＬを用いて記述されたファイルである。また、「旧版参照」ボタン２２８がクリックされると、規格表示欄２２１に改版前の旧版の規格条文が表示される画面構成となっている。
【０１０５】
第４の端末４は、子規格等作成者の操作に従い、子規格等作成者が希望する規格の表示画面を規格管理システム７に要求する（ステップＳ７１）。規格管理システム７の制御部１１は、第４の端末４からの要求を受け付ける際、ステップＳ１０１〜Ｓ１０４と同様に、アクセス者に対する認証を行う。制御部１１は、認証に成功し、アクセス者が子規格等作成者であったならば、子規格等作成者が希望した規格（図１７に示す例では「○○規格」）の表示画面２２０の情報を第４の端末４に送信する（ステップＳ７２）。ステップＳ７２において、制御部１１は、要求された規格条文の最新版を規格条文データベース１５から抽出し、その規格条文を表示する規格表示画面の情報を作成する。このとき、ステップＳ６２の処理と同様に、修正された文言等が他と区別されて表示されるようにし、また、その文言などにリンクを設定する。ただし、ステップＳ７２では、制御部１１は、「一覧変更」ボタン２２５と、「ＸＭＬファイルダウンロード」ボタン２２７と、「旧版参照」ボタン２２８とを含む規格表示画面２２０を作成する。また、制御部１１は、「一覧変更」ボタン２２５には、表示した規格において変更された項目の一覧を示す変更一覧表示画面２２６を呼び出す処理を実行するように設定しておく。制御部１１は、「ＸＭＬファイルダウンロード」ボタン２２７には、ステップＳ７１で子規格等作成者が指定した規格のファイルをダウンロードする処理を実行するように設定しておく。また、制御部１１は、「旧版参照」ボタン２２８には、規格表示欄２２１に表示されている規格条文の改版前の条文を規格表示欄２２１に表示させる処理を実行するように設定しておく。制御部１１は、作成した規格表示画面２２０の情報を第４の端末４に送信する。第４の端末４は、表示画面の情報を受信すると、その情報に基づいて規格表示画面２２０を表示する。
【０１０６】
修正された文言２２２等がクリックされた場合の動作は、図１５に示した規格表示画面２１０上で文言２１１等がクリックされた場合と同様であるので説明を省略する。
【０１０７】
第４の端末４は、規格表示画面２２０を表示した後、表示した規格において変更された項目の一覧を示す変更一覧表示画面２２６の表示要求を受け付ける（ステップＳ７３）。具体的には、「変更一覧」ボタン２２５をクリックされることにより、変更一覧表示画面２２６の表示要求を受け付ける。第４の端末４は、「変更一覧」ボタン２２５をクリックされると、変更一覧表示画面２２６を規格管理システム７に要求する（ステップＳ７４）。規格管理システム７の制御部１１は、規格データベース１５に記憶する改版データにもとづいて、子規格等作成者がステップＳ７１で要求した規格（図１７に示す例では「○○規格」）の各項目の中で修正された項目を抽出する。そして、その項目を一覧表示する変更一覧表示画面２２６の情報を作成する。このとき、表示する各項目毎に、その項目の内容（条文）へのリンクを設定する。本例では、制御部１１が、「２．１  測定を実施している」という項目、および「３．４  本規格の対象」という項目を抽出し、この二つの項目を表示する変更一覧表示画面２２６の情報を作成するものとする。制御部１１は、「２．１  測定を実施している」という項目には、項目「２．１」の条文へのリンクを設定する。同様に、「３．４  本規格の対象」に対してもリンクを設定する。制御部１１は、変更一覧表示画面２２６の情報を作成したならば、その情報を第４の端末４に送信する（ステップＳ７５）。第４の端末４は、表示画面の情報を受信すると、その情報に基づいて変更一覧表示画面２２６を表示する。
【０１０８】
第４の端末４は、変更一覧表示画面２２６を表示した後、子規格等作成者が参照しようとする項目の指定を受け付ける（ステップＳ７６）。例えば、第４の端末４は、図１７に例示する変更一覧表示画面２２６上に表示された項目をクリックされることにより、項目の指定を受け付ける。第４の端末４は、項目の指定を受け付けると、その項目の表示画面を規格管理システム７に要求する（ステップＳ７７）。例えば、ステップＳ７６において、「２．１  性能測定を実施している」という項目がクリックされたならば、その項目の内容（条文）の表示画面を要求する。規格管理システム７の制御部１１は、要求された項目の内容を規格データベース１５から抽出して第４の端末４に送信し、規格表示欄２２１に表示させる（ステップＳ７８）。
【０１０９】
また、第４の端末４は、「ＸＭＬファイルダウンロード」ボタン２２７をクリックされると、ステップＳ７１で子規格等作成者が指定した規格（図１７に示す例では「○○規格」）のファイルのダウンロードを規格管理システム７に要求する（ステップＳ７９）。規格データベース１５には、各規格をＸＭＬを用いて記述したファイルが記憶されている。規格管理システム７の制御部１１は、要求されたファイルを規格データベース１５から抽出し、第４の端末４に送信する（ステップＳ８０）。
【０１１０】
また、第４の端末４は、「旧版参照」ボタン２２８をクリックされると、規格表示欄２２１に表示されている規格条文の改版前の条文の表示画面を規格管理システム７に要求する。規格管理システム７の制御部１１は、ステップＳ７２で送信した画面内に表示される規格の旧版の規格（改版前の規格）を、規格データベース１５から抽出する。そして、その規格のデータを第４の端末４に送信して、規格表示欄２２１に表示させる（ステップＳ８２）。
【０１１１】
なお、図１６に示すフローチャートでは、便宜上、ＸＭＬファイルのダウンロード処理（ステップＳ７９およびステップＳ８０）は、ステップＳ７８の後に実行されるように示している。ＸＭＬファイルのダウンロード処理（ステップＳ７９およびステップＳ８０）は、子規格等作成者に提供される規格表示画面２２０が表示されているときに任意のタイミングで実行してよい。同様に、図１６に示すフローチャートでは、便宜上、旧版規格の表示処理（ステップＳ８１およびステップＳ８２）は、ステップＳ８０の後に実行されるように示している。旧版規格の表示処理（ステップＳ８１およびステップＳ８２）も、子規格等作成者に提供される規格表示画面２２０が表示されているときに任意のタイミングで実行してよい。
【０１１２】
以上のような処理によって、子規格等参照者も、一般利用者と同様に、規格条文を参照して規格の内容を知ることができる。また、修正理由を参照して、改版経緯を知ることができる。また、引用されている外部規格、その外部規格の版数、および引用理由を参照することができ、その外部規格の期限有効性（現在その外部規格は有効であるか、または、いつまでその外部規格が有効であるか）を判断し、外部規格を引用した経緯を知ることもできる。
【０１１３】
さらに、子規格等作成者は、変更一覧表示画面２２６の各項目をクリックすることにより、ステップＳ７１で要求した規格に含まれる各項目のうち、修正された項目を容易に選択して、その内容を参照することができる。すなわち、修正された項目のみを重点的に参照することができる。また、子規格等作成者は、希望する規格を閲覧するだけでなく、その規格を記述したファイルを入手することができる。
【０１１４】
そして、子規格等作成者は、以上のような内容を閲覧することができるので、子規格、ガイドライン、審査基準等の作成作業を容易に行うことができる。また、ＸＭＬを用いて規格を記述したファイルを入手することができるので、そのファイルを子規格、ガイドライン、審査基準等の作成する際に流用することができる。従って、子規格等の作成負担が軽減される。
【０１１５】
また、制御部１１は、第３の端末３と情報を送受信する場合と同様に、第４の端末と情報を送受信する場合にもログを記録し、ログに基づいて課金情報を更新する。すなわち、制御部１１は、第４の端末４から最初にアクセスがあったときから、第４の端末４との情報の送受信が終了するまでの間、情報を送信または受信する度にログを作成し、そのログをログデータベース２０に記録する。さらに、制御部１１は、記録したログに基づいて、規格や改版情報等を閲覧したり、規格のファイルをダウンロードしたりした子規格等作成者に課金する料金を計算し、課金データベース１９に記録されている課金情報を更新する。例えば、制御部１１は、一定期間毎に、各子規格等作成者が閲覧またはダウンロードした情報量をログに基づいて判定する。そして、その情報量に応じた料金を子規格等作成者毎に算出する。制御部１１は、算出した料金を加算するようにして、課金データベース１９に記録されている各子規格等作成者の課金情報を更新する。
【０１１６】
次に、規格管理システム７が、ツール作成者によって使用される第５の端末５に規格の情報を提供する場合の処理について説明する。図１８は、ツール作成者に提供される規格表示画面の例を示す説明図である。ツール作成者に提供される規格表示画面２２０は、子規格作成者に提供される規格表示画面２２０と同様の画面である。
【０１１７】
ツール作成者に提供される規格表示画面２２０の規格表示欄２２１内では、修正された文言２２２や外部規格から引用した文言（図１８において図示せず。）は、他の文言と区別して表示される。そして、それらの文言がクリックされると、関連する改版情報が改版情報表示欄２２３に表示される画面構成になっている。また、項目指定欄２２４に表示される各項目が指定された場合、指定された項目の規格条文が規格表示欄２２１に表示される画面構成になっている。
【０１１８】
規格管理システム７がこの規格表示画面２２０を第５の端末５に提供する際の処理は、ステップＳ７１，Ｓ７２と同様である。
【０１１９】
また、ツール作成者が使用する第５の端末５において、「ＸＭＬファイルダウンロード」ボタン２２７がクリックされた場合の処理は、ステップＳ７９，Ｓ８０と同様である。同様に、第５の端末５において、「旧版参照」ボタン２２８がクリックされば場合の処理は、ステップＳ８１，Ｓ８２と同様である。
【０１２０】
また、規格内の修正された項目のみをツール作成者に重点的に参照させる場合の処理は、ステップＳ７３〜Ｓ７８の処理と同様である。ただし、ツール作成者に閲覧させる変更一覧表示画面は、図１７に示した変更一覧表示画面２２６とは異なる。図１８に示すように、ツール作成者に閲覧させる変更一覧表示画面２３１は、ツール作成者が指定した規格の中で修正された項目の一覧だけでなく、「ＸＭＬファイルダウンロード」ボタン２３２を有している。制御部１１は、ステップＳ７５と同様の処理を実行する際、「２．１  性能測定を実施している」等の項目を一覧表示するだけでなく、「ＸＭＬファイルダウンロード」ボタン２３２を含む変更一覧表示画面２３１の情報を作成する。このとき、制御部１１は、「ＸＭＬファイルダウンロード」ボタン２３２には、ツール作成者が指定した規格の改版情報のファイルをダウンロードする処理を実行するように設定しておく。この改版情報のファイルは、ＸＭＬによって記述され、規格データベース１５に記憶されている。制御部１１は、図１８に例示する変更一覧表示画面２３１の情報を作成したならば、その画面情報を第５の端末５に送信する。第５の端末５は、受信した画面情報に基づいて、変更一覧表示画面２３１を表示する。
【０１２１】
第５の端末５は、変更一覧表示画面２３１内の「ＸＭＬファイルダウンロード」ボタン２３２がクリックされたならば、ツール作成者がステップＳ７１と同様の処理において指定した規格（図１８に示す例では「○○規格」）の改版情報のファイルを規格管理システムに要求する。規格管理システム７の制御部１１は、要求された改版情報のファイル（ＸＭＬを用いて記述されている）を規格データベース１５から抽出し、第５の端末５に送信する。
【０１２２】
ツール作成者は、規格の改版に伴ってアセスメントツールを手直しする際に、この改版情報のファイルを流用することができる。また、ツール作成者は、規格のガイドブックを電子データとして作成してもよい。この場合においても、規格の改版に伴って、ガイドブックを手直しする際に、改版情報のファイルを流用することができる。
【０１２３】
また、制御部１１は、第３の端末３と情報を送受信する場合と同様に、第５の端末５と情報を送受信する場合にもログを記録し、ログに基づいて課金情報を更新する。すなわち、制御部１１は、第５の端末５から最初にアクセスがあったときから、第５の端末５との情報の送受信が終了するまでの間、情報を送信または受信する度にログを作成し、そのログをログデータベース２０に記録する。さらに、制御部１１は、記録したログに基づいて、規格や改版情報等を閲覧したり、規格のファイルや改版情報のファイルをダウンロードしたりしたツール作成者に課金する料金を計算し、課金データベース１９に記録されている課金情報を更新する。例えば、制御部１１は、一定期間毎に、各ツール作成者が閲覧またはダウンロードした情報量をログに基づいて判定する。そして、その情報量に応じた料金をツール作成者毎に算出する。制御部１１は、算出した料金を加算するようにして、課金データベース１９に記録されている各ツール作成者の課金情報を更新する。
【０１２４】
上記のように、ツール作成者に提供される規格表示画面２２０は、子規格作成者に提供される規格表示画面と同様であるので、ツール作成者は、子規格作成者と同様の効果を得ることができる。すなわち、規格条文を参照して規格の内容を知ることができる。また、修正理由を参照して、改版経緯を知ることができる。また、引用されている外部規格、その外部規格の版数、および引用理由を参照することができ、その外部規格の期限有効性（現在その外部規格は有効であるか、または、いつまでその外部規格が有効であるか）を判断し、外部規格を引用した経緯を知ることもできる。
【０１２５】
さらに、ツール作成者は、変更一覧表示画面２３１の各項目をクリックすることにより、最初に指定した規格に含まれる各項目のうち、修正された項目を容易に選択して、その内容を参照することができる。すなわち、修正された項目のみを重点的に参照することができる。また、ツール作成者は、希望する規格を閲覧するだけでなく、その規格を記述したファイルを入手することができる。さらに、ツール作成者は、改版情報を記述したファイルも入手することができる。
【０１２６】
ツール作成者は、以上のような内容を閲覧することができるので、アセスメントツールやガイドブックの手直し作業を容易に行うことができる。また、ＸＭＬを用いて規格を記述したファイルや、改版情報を記述したファイルを入手することができるので、そのファイルをアセスメントツールやガイドブックの手直しの際に流用することができる。従って、アセスメントツール等の手直しの負担が軽減される。
【０１２７】
また、システム管理装置７は、規格作成者等に対しても、ツール作成者に対するのと同様に、各種情報を提供する。従って、規格作成者も第１の端末１を用いて、規格や改版情報を閲覧等することができる。
【０１２８】
規格管理システム７は、第２の端末２から規格の公開を要求された場合（具体的には、図１２に示すＳ４１〜Ｓ５０の処理が終了した場合）、一般利用者、子規格等作成者、ツール作成者からの要求に応じて各種情報を提供する。図１２に示すステップＳ４１〜Ｓ５０までの処理が終了したのち、システム管理者は、公開が許可された規格のファイルをＣＤ−ＲＯＭ等の記録媒体上にコピーして販売してもよい。このとき、規格のファイルだけでなく、官報による訂正や、規格に関連する業界における訂正解釈の情報もＣＤ−ＲＯＭ等にコピーして販売してもよい。
【０１２９】
本発明によれば、規格管理システム７は、ステップＳ１１において修正範囲を指定され、修正範囲の情報と、その修正範囲における修正内容を第１の端末１から受信する。従って、修正範囲として指定されない部分については、改版前の状態を維持することができる。また、用語等の置換を行う場合には、置換前の用語や訳語、置換語の用語や訳語を第１の端末１から受信する。従って、置換対象部分以外はそのまま維持される。また、外部規格を引用して挿入する場合、挿入範囲と、外部規格内の引用部分とを第１の端末１から受信する。従って、挿入範囲として指定されていない部分については、改版前の状態を維持することができる。この結果、従来、転写ミスによって生じていたような、変更すべきでない点が変更されてしまい、それに伴い規格内に論理的な矛盾が生じてしまうという問題点が解消される。
【０１３０】
また、外部規格を引用する場合には、改版情報の中に外部規格の版数の情報も含める。そして、規格利用者が使用する端末からの要求に応じてその改版情報を送信する。従って、規格利用者は、閲覧している規格に引用されている外部規格の期限有効性（現在その外部規格は有効であるか、または、いつまでその外部規格が有効であるか）を判断することができる。
【０１３１】
また、改版（修正、用語等の置換、外部規格の引用等）が行われた場合であっても、改版前の規格と改版後の規格を差し替えているわけではなく、改版前の規格と改版後の規格の双方を規格データベースに残しておく。従って、改版前の規格を利用することも可能である。
【０１３２】
また、ログを記録しているので、規格利用者にどの程度規格や改版情報を提供したのかを容易に把握することができる。すなわち、規格や改版情報の利用頻度を容易に把握することができる。
【０１３３】
また、一般利用者、子規格等作成者、ツール作成者に対し、規格に関する情報の提供量に応じた課金を行うことができる。また、変更一覧表示画面２２６（図１７参照）や変更一覧表示画面２３１（図１８参照）を利用して、変更された箇所のみを重点的に閲覧させることができる。従って、規格の改版後における課金をリーズナブル化することができる。
【０１３４】
また、改版によって得られた規格だけでなく、変更箇所の情報を含む改版情報を記憶する。従って、変更箇所を一元管理することができ、規格改訂管理者（規格作成者等）の管理効率を向上させることができる。
【０１３５】
また、従来のような手作業によるコピー作業（コピーアンドペーストやタイピング）が行われないので、改版作業を簡易化することができる。
【０１３６】
また、ステップＳ３〜Ｓ５に示すように、他の規格を参照することができる。従って、他の規格を直接参照したり引用したりすることによって、各規格で用いられている用語の相違を明らかにすることができる。この結果、用語を審議する委員会の審議方法を簡便化することができる。
【０１３７】
また、規格やその規格の改版情報に基づいて、子規格やガイドラインを作成しているので、子規格やガイドラインから逆引きにより規格や改版情報を特定することができる審議資料を整備することができる。
【０１３８】
規格や改版情報をＸＭＬで記述されたデータとして記憶したり、規格利用者に提供するので、変更点を様々な切り口で抽出することができる。例えば、追加された点、削除された点、ＪＩＳ用語として訳変更された点等、利用者の希望に応じて柔軟にデータを抽出することができる。
【０１３９】
また、会員をレベル分けして登録しておき、会員のレベルを確認してから処理を進める。従って、会員のレベルに応じた情報提供ができる。
【０１４０】
また、改版情報に規格の改版理由を含め、その改版情報を提供するので、規格利用者に改版理由を知らせることができる（規格利用者の納得性を向上させることができる）。
【産業上の利用可能性】
【０１４１】
本発明は、規格の改版や提供の管理に適用することができる。規格としては、例えば、セキュリティに関する規格や、マネジメントに関する規格がある。ただし、これらは例示であり、本発明が対象とする規格は特定の規格に限定されない。
【図面の簡単な説明】
【０１４２】
【図１】本発明による規格管理システムと規格管理システムを利用する各端末とを示す説明図。
【図２】規格管理システムの構成の例を示すブロック図である。
【図３】認証処理のフローチャートである。
【図４】会員登録画面の例を示す説明図である。
【図５】新規規格の登録処理の例を示すフローチャートである。
【図６】新規登録画面の例を示す説明図である。
【図７】規格が改版される場合に改版内容を登録する処理の例を示すフローチャートである。
【図８】規格を改版する際のインタフェース画面の例を示す説明図である。
【図９】用語や訳語を置換する際のインタフェース画面の例を示す説明図である。
【図１０】規格の一部に外部規格の一部を引用して挿入することによって改版を行う場合の処理の例を示すフローチャートである。
【図１１】規格の一部に外部規格の一部を引用して挿入することによって改版を行う場合のインタフェース画面の例を示す説明図である。
【図１２】第２の端末から規格の公開を要求される場合の処理の例を示すフローチャートである。
【図１３】規格が公開され利用可能になることを規格利用者に通知する操作を行う際のインタフェース画面の例を示す説明図である。
【図１４】第３の端末に規格の情報を提供する場合の処理の例を示すフローチャートである。
【図１５】一般利用者に提供される規格表示画面の例を示す説明図である。
【図１６】第４の端末に規格の情報を提供する場合の処理の例を示すフローチャートである。
【図１７】子規格等作成者に提供される規格表示画面の例を示す説明図である。
【図１８】ツール作成者に提供される規格表示画面の例を示す説明図である。
【符号の説明】
【０１４３】
１〜６  端末
７  規格管理システム
１１  制御部
１２  記憶装置
１３  規格管理プログラム
１５  規格データベース
１６  用語データベース
１７  外部規格取込データデータベース
１８  会員データベース
１９  課金データベース
２０  ログデータベース
【図１】
2005228024.tif 000003
【図２】
2005228024.tif 000004
【図３】
2005228024.tif 000005
【図４】
2005228024.tif 000006
【図５】
2005228024.tif 000007
【図６】
2005228024.tif 000008
【図７】
2005228024.tif 000009
【図８】
2005228024.tif 000010
【図９】
2005228024.tif 000011
【図１０】
2005228024.tif 000012
【図１１】
2005228024.tif 000013
【図１２】
2005228024.tif 000014
【図１３】
2005228024.tif 000015
【図１４】
2005228024.tif 000016
【図１５】
2005228024.tif 000017
【図１６】
2005228024.tif 000018
【図１７】
2005228024.tif 000019
【図１８】
2005228024.tif 000020